(57)【特許請求の範囲】
【請求項１】
入力されたテレビ放送波の所定の１チャンネルを処理するチャンネル部をチャンネル数分備えており、複数の前記チャンネル部から出力される複数のテレビ放送波を混合部で混合し、混合されたテレビ放送波のレベルが定められたレベルになるよう調整して出力するテレビ放送再送信装置であって、
前記チャンネル部は、
入力されたテレビ放送波を中間周波信号に変換する第１のミキサ部と、
該第１ミキサ部から出力された中間周波信号を処理する中間周波数信号処理部と、
該中間周波数信号処理部から出力される前記中間周波信号を定められた所定のテレビ放送波のチャンネルに変換する第２のミキサ部と、
前記第１のミキサ部に局部発振信号を供給する第１の局部発振部と、
前記第２のミキサ部に局部発振信号を供給する第２の局部発振部と、
前記第２のミキサ部から出力されたテレビ放送波を処理するテレビ放送波処理部と、
前記テレビ放送波処理部と前記混合部との間に設けられ、基準発振信号を分波して前記第１の局部発振部および前記第２の局部発振部に供給する分波手段とを備え、
前記混合部の出力側に、基準発振信号を出力する基準発振部が接続されていることを特徴とするテレビ放送再送信装置。
【請求項２】
前記混合部の出力側に前記基準発振部を接続することに替えて、前記基準発振部が出力する基準発振信号を分配した分配基準発振信号を、前記分波器の出力側に供給するようにしたことを特徴とする請求項１記載のテレビ放送再送信装置。
【請求項３】
前記混合部の出力側に前記基準発振部を接続することに替えて、前記分波手段を省略すると共に、前記基準発振部が出力する基準発振信号を分配した分配基準発振信号を、前記第１の局部発振部および前記第２の局部発振部に直接供給するようにしたことを特徴とする請求項１記載のテレビ放送再送信装置。
【請求項４】
入力されたテレビ放送波の所定の１チャンネルを処理するチャンネル部をチャンネル数分備えており、複数の前記チャンネル部から出力される複数のテレビ放送波を混合部で混合し、混合されたテレビ放送波のレベルが定められたレベルになるよう調整して出力するテレビ放送再送信装置であって、
前記チャンネル部は、
入力されたテレビ放送波を中間周波信号に変換する第１のミキサ部と、
該第１ミキサ部から出力された中間周波信号を処理する中間周波数信号処理部と、
該中間周波数信号処理部から出力される前記中間周波信号を元のテレビ放送波のチャンネルに変換する第２のミキサ部と、
前記第１のミキサ部および前記第２のミキサ部に局部発振信号を共通して供給する局部発振部と、
前記第２のミキサ部から出力されたテレビ放送波を処理するテレビ放送波処理部と、
前記テレビ放送波処理部と前記混合器との間に設けられ、基準発振信号を分波して前記局部発振部に供給する分波手段とを備え、
前記混合部の出力側に、基準発振信号を出力する基準発振部が接続されていることを特徴とするテレビ放送再送信装置。
【請求項５】
前記混合部の出力側に前記基準発振部を接続することに替えて、前記基準発振部が出力する基準発振信号を分配した分配基準発振信号を、前記分波器の出力側に供給するようにしたことを特徴とする請求項４記載のテレビ放送再送信装置。
【請求項６】
前記混合部の出力側に前記基準発振部を接続することに替えて、前記分波手段を省略すると共に、前記基準発振部が出力する基準発振信号を分配した分配基準発振信号を、前記局部発振部に直接供給するようにしたことを特徴とする請求項４記載のテレビ放送再送信装置。
【請求項７】
入力されたテレビ放送波の所定の１チャンネルを処理するチャンネル部をチャンネル数分備えており、複数の前記チャンネル部から出力される複数のテレビ放送波を混合部で混合し、混合されたテレビ放送波のレベルが定められたレベルになるよう調整して出力するテレビ放送再送信装置であって、
前記チャンネル部は、
入力されたテレビ放送波を定められた所定のテレビ放送波のチャンネルに変換するミキサ部と、
前記ミキサ部に局部発振信号を供給する局部発振部と、
前記ミキサ部から出力されたテレビ放送波を処理するテレビ放送波処理部と、
前記テレビ放送波処理部と前記混合器との間に設けられ、基準発振信号を分波して前記局部発振部に供給する分波手段とを備え、
前記混合部の出力側に、基準発振信号を出力する基準発振部が接続されていることを特徴とするテレビ放送再送信装置。
【請求項８】
前記混合部の出力側に前記基準発振部を接続することに替えて、前記基準発振部が出力する基準発振信号を分配した分配基準発振信号を、前記分波器の出力側に供給するようにしたことを特徴とする請求項７記載のテレビ放送再送信装置。
【請求項９】
前記混合部の出力側に前記基準発振部を接続することに替えて、前記分波手段を省略すると共に、前記基準発振部が出力する基準発振信号を分配した分配基準発振信号を、前記局部発振部に直接供給するようにしたことを特徴とする請求項７記載のテレビ放送再送信装置。
【発明の詳細な説明】
【技術分野】
【０００１】
本発明は、ＣＡＴＶや共同受信等においてテレビ放送波を再送信するテレビ放送再送信装置に関するものである。
【背景技術】
【０００２】
複数のテレビ放送波を共同受信施設に伝送する場合には、ヘッドエンドにおいてＴＶシグナルプロセッサなどの、各テレビ放送波をチャンネル毎にレベル調整できる装置が必要となる。このようなレベル調整手段は通常、使用するチャンネルと同じ数だけ必要であり、レベル調整手段から出力された使用する複数チャンネルのテレビ放送波を合成する合成手段から複数のテレビ放送波が伝送されている。
【０００３】
従来のテレビ放送再送信装置の構成例を図１２に示す。
図１２に示すテレビ放送再送信装置１００は３チャンネルのテレビ放送を再送信するテレビ放送再送信装置とされており、３つのチャンネル部１０２−１，１０２−２，１０２−３を備えている。テレビ放送再送信装置１００には、入力端子ＩＮから複数チャンネルのテレビ放送波が入力され、分配器１０１により分配される。この分配されたテレビ放送波は３つのチャンネル部１０２−１，１０２−２，１０２−３にそれぞれ供給される。３つのチャンネル部１０２−１，１０２−２，１０２−３の構成は同一とされており、チャンネル部１０２−１について説明する。
【０００４】
チャンネル部１０２−１はチャンネル１のテレビ放送波を再送信するチャンネル部であり、バンドパスフィルタ（ＢＰＦ）１１０により分配器１０１から供給される複数チャンネルのテレビ放送波の内からチャンネル１のテレビ放送波が抽出される。チャンネル１のテレビ放送波は利得調整可能な増幅器（ＡＭＰ）１１１により所定のゲインになるよう増幅され第１のミキサ（ＭＩＸ）１１２に供給される。第１のＭＩＸ１１２によりテレビ放送波は中間周波数信号に周波数変換され、中間周波数信号はＢＰＦ１１３で信号処理されると共に、構成は図示していないが中間周波数信号のレベルが一定に保たれる。信号処理された中間周波数の信号は、第２のミキサ（ＭＩＸ）１１４に供給されて別のチャンネルに周波数変換される。第２のＭＩＸ１１４から出力される所定のチャンネルとされたチャンネル１のテレビ放送波は、ＢＰＦ１１５により不要波成分が除去されレベル制御部（ＧＣ）１１６およびＡＭＰ１１７において所定のレベルになるようゲイン調整および増幅されて混合器１０３へ出力される。
【０００５】
ここで、第１のＭＩＸ１１２には局部発振器Ａから出力された局部発振信号が供給され、この局部発振信号によりテレビ放送波が中間周波数信号に変換され、第２のＭＩＸ１１４には局部発振器Ｂから出力された局部発振信号が供給され、この局部発振信号により中間周波数信号が定められた所定のチャンネルのテレビ放送波に変換されている。局部発振器Ａおよび局部発振器ＢはＰＬＬ（Phase Locked Loop ）で構成されている。局部発振器Ａでは、基準発振器１２１からの基準発振信号と、電圧制御発振器（ＶＣＯ：Voltage-Controlled Oscillator）１２５の出力である局部発振信号を分周器１２２で分周した分周信号とを位相比較器（ＰＤ）１２３により位相比較し、ＰＤ１２３から出力された誤差信号をループフィルタ（ＬＦ）１２４を介してＶＣＯ１２５にフィードバックしている。これにより、ＶＣＯ１２５から周波数や位相のズレのない局部発振信号を生成して出力することができる。なお、局部発振信号の周波数は、基準発振信号の周波数に分周器１２２の分周比を乗算した周波数とされる。局部発振器Ｂの構成は局部発振器Ａの構成と同様とされている。
【０００６】
チャンネル部１０２−２は、チャンネル２のテレビ放送波を再送信するチャンネル部であり、チャンネル部１０２−３は、チャンネル３のテレビ放送波を再送信するチャンネル部とされている。チャンネル部１０２−２，１０２−３から所定のレベルになるようゲイン調整されて出力されるテレビ放送波は、チャンネル２，チャンネル３においてそれぞれ定められた所定のチャンネルとされて混合器１０３に出力される。チャンネル部１０２−２，１０２−３の構成はチャンネル部１０２−１と同様とされているので、その説明は省略するが、混合器１０３で混合されるチャンネル部１０２−１ないしチャンネル部１０２−３から出力されるチャンネルの周波数はそれぞれ異なっている。混合器１０３において、混合された３波のテレビ放送波は出力レベル調整部１０４において規定された出力レベルになるようレベル調整されて出力端子ＯＵＴから出力される。
【０００７】
次に、従来のテレビ放送再送信装置の他の構成例を図１３に示す。
図１３に示すテレビ放送再送信装置２００は３チャンネルのテレビ放送を再送信するテレビ放送再送信装置とされており、３つのチャンネル部２０２−１，２０２−２，２０２−３を備えている。テレビ放送再送信装置２００には、入力端子ＩＮから複数チャンネルのテレビ放送波が入力され、分配器２０１により分配される。この分配されたテレビ放送波は３つのチャンネル部２０２−１，２０２−２，２０２−３にそれぞれ供給される。３つのチャンネル部２０２−１，２０２−２，２０２−３の構成は同一とされており、チャンネル部２０２−１について説明する。
【０００８】
チャンネル部２０２−１はチャンネル１のテレビ放送波を再送信するチャンネル部であり、バンドパスフィルタ（ＢＰＦ）２１０により分配器２０１から供給される複数チャンネルのテレビ放送波の内からチャンネル１のテレビ放送波が抽出される。チャンネル１のテレビ放送波は利得調整可能な増幅器（ＡＭＰ）２１１により所定のゲインになるよう増幅され第１のミキサ（ＭＩＸ）２１２に供給される。第１のＭＩＸ２１２によりテレビ放送波は中間周波数信号に周波数変換され、中間周波数信号はＢＰＦ２１３で信号処理されると共に、構成は図示していないが中間周波数信号のレベルが一定に保たれる。信号処理された中間周波数の信号は、第２のミキサ（ＭＩＸ）２１４に供給されて元のチャンネルに周波数変換される。第２のＭＩＸ２１４から出力される元のチャンネルとされたチャンネル１のテレビ放送波は、ＢＰＦ２１５により不要波成分が除去されレベル制御部（ＧＣ）２１６およびＡＭＰ２１７において所定のレベルになるようゲイン調整および増幅されて混合器２０３へ出力される。
【０００９】
ここで、第１のＭＩＸ２１２および第２のＭＩＸ２１４には局部発振器Ａから出力された局部発振信号が供給され、この局部発振信号により第１のＭＩＸ２１２ではテレビ放送波が中間周波数信号に変換され、第２のＭＩＸ２１４では中間周波数信号が元のチャンネルのテレビ放送波に変換されている。すなわち、テレビ放送再送信装置２００においては、変換後のチャンネル（周波数）と変換前のチャンネル（周波数）とは同一チャンネルとされる。局部発振器ＡはＰＬＬ（Phase Locked Loop ）で構成されており、基準発振器２２１からの基準発振信号と、電圧制御発振器（ＶＣＯ：Voltage-Controlled Oscillator）２２５の出力である局部発振信号を分周器２２２で分周した分周信号とを位相比較器（ＰＤ）２２３により位相比較し、ＰＤ２２３から出力された誤差信号をループフィルタ（ＬＦ）２２４を介してＶＣＯ２２５にフィードバックしている。これにより、ＶＣＯ２２５から周波数や位相のズレのない局部発振信号を生成して出力することができる。なお、局部発振信号の周波数は、基準発振信号の周波数に分周器２２２の分周比を乗算した周波数とされる。
【００１０】
チャンネル部２０２−２は、チャンネル２のテレビ放送波を再送信するチャンネル部であり、チャンネル部２０２−３は、チャンネル３のテレビ放送波を再送信するチャンネル部とされている。チャンネル部２０２−２，２０２−３から所定のレベルになるようゲイン調整されて出力されるテレビ放送波は、チャンネル２，チャンネル３においてそれぞれ元のチャンネルとされて混合器２０３に出力される。チャンネル部２０２−２，２０２−３の構成はチャンネル部２０２−１と同様とされているので、その説明は省略するが、混合器２０３で混合されるチャンネル部２０２−１ないしチャンネル部２０２−３からそれぞれ出力されるチャンネルの周波数はそれぞれ異なっている。混合器２０３において、混合された３波のテレビ放送波は出力レベル調整部２０４において規定された出力レベルになるようレベル調整されて出力端子ＯＵＴから出力される。
【００１１】
次に、従来のテレビ放送再送信装置のさらに他の構成例を図１４に示す。
図１４に示すテレビ放送再送信装置３００は３チャンネルのテレビ放送を再送信するテレビ放送再送信装置とされており、３つのチャンネル部３０２−１，３０２−２，３０２−３を備えている。テレビ放送再送信装置３００には、入力端子ＩＮから複数チャンネルのテレビ放送波が入力され、分配器３０１により分配される。この分配されたテレビ放送波は３つのチャンネル部３０２−１，３０２−２，３０２−３にそれぞれ供給される。３つのチャンネル部３０２−１，３０２−２，３０２−３の構成は同一とされており、チャンネル部３０２−１について説明する。
【００１２】
チャンネル部３０２−１はチャンネル１のテレビ放送波を再送信するチャンネル部であり、バンドパスフィルタ（ＢＰＦ）３１０により分配器３０１から供給される複数チャンネルのテレビ放送波の内からチャンネル１のテレビ放送波が抽出される。チャンネル１のテレビ放送波は利得調整可能な増幅器（ＡＭＰ）３１１により所定のゲインになるよう増幅されミキサ（ＭＩＸ）３１２に供給される。ＭＩＸ３１２によりテレビ放送波は定められた他のチャンネルのテレビ放送波に周波数変換され、変換後のテレビ放送波は、ＢＰＦ３１３により不要波成分が除去されレベル制御部（ＧＣ）３１４およびＡＭＰ３１５において所定のレベルになるようゲイン調整および増幅されて混合器３０３へ出力される。
【００１３】
ここで、ＭＩＸ３１２には局部発振器Ａから出力された局部発振信号が供給され、この局部発振信号によりＭＩＸ３１２ではテレビ放送波が他のチャンネルのテレビ放送波に変換されている。局部発振器ＡはＰＬＬ（Phase Locked Loop ）で構成されており、基準発振器３２１からの基準発振信号と、電圧制御発振器（ＶＣＯ：Voltage-Controlled Oscillator）３２５の出力である局部発振信号を分周器３２２で分周した分周信号とを位相比較器（ＰＤ）３２３により位相比較し、ＰＤ３２３から出力された誤差信号をループフィルタ（ＬＦ）３２４を介してＶＣＯ３２５にフィードバックしている。これにより、ＶＣＯ３２５から周波数や位相のズレのない局部発振信号を生成して出力することができる。なお、局部発振信号の周波数は、基準発振信号の周波数に分周器３２２の分周比を乗算した周波数とされる。
【００１４】
チャンネル部３０２−２は、チャンネル２のテレビ放送波を再送信するチャンネル部であり、チャンネル部３０２−３は、チャンネル３のテレビ放送波を再送信するチャンネル部とされている。チャンネル部３０２−２，３０２−３から所定のレベルになるようゲイン調整されて出力されるテレビ放送波は、チャンネル２，チャンネル３においてそれぞれ他のチャンネルに変換されて混合器３０３に出力される。チャンネル部３０２−２，３０２−３の構成はチャンネル部３０２−１と同様とされているので、その説明は省略するが、混合器３０３で混合されるチャンネル部３０２−１ないしチャンネル部３０２−３からそれぞれ出力されるチャンネルの周波数はそれぞれ異なっている。混合器３０３において、混合された３波のテレビ放送波は出力レベル調整部３０４において規定された出力レベルになるようレベル調整されて出力端子ＯＵＴから出力される。
【発明の開示】
【発明が解決しようとする課題】
【００１５】
上記した従来のテレビ放送再送信装置において、１台あるいは２台設けられている局部発振器のＰＬＬには基準発振器が必要となるが、各チャンネル部における局部発振器はそれぞれ独立した基準発振器を用いているため、各基準発振器の発振周波数の違いによって相互干渉を引き起こすという問題点があると共に、少なくとも使用するチャンネル数分の基準発振器が必要となるためコスト高になるという問題点があった。
そこで、本発明は基準発振器を単一として相互干渉を防止することができると共にコストを低減することができるテレビ放送再送信装置を提供することを目的としている。
【課題を解決するための手段】
【００１６】
上記目的を達成するために、本発明のテレビ放送再送信装置は、混合部の出力側に基準発振器から供給された基準発振信号を混合部の入力側に設けられた分波器により分波して局部発振部に供給することを最も主要な特徴としている。
【発明の効果】
【００１７】
本発明によれば、混合部の出力側に基準発振器から供給された基準発振信号を混合部の入力側に設けられた分波器により分波して局部発振部に供給することから、基準発振器を単一として相互干渉を防止することができると共にコストを低減することができるようになる。
【発明を実施するための最良の形態】
【００１８】
本発明の第１実施例のテレビ放送再送信装置の構成を示す回路ブロック図を図１に示す。
図１に示す本発明にかかるテレビ放送再送信装置１は、３チャンネルのテレビ放送を再送信するテレビ放送再送信装置とされており、入力端子ＩＮから入力された複数チャンネルのテレビ放送波を分配する分配器１０と、３つのチャンネル部１１−１，１１−２，１１−３と、各チャンネル部から出力されたテレビ放送波を混合する混合器１２と、規定された出力レベルになるようレベル調整する出力レベル調整部１５と、混合器１２と出力レベル調整部１５との間に配置された分波器１４と、分波器１４に基準発振信号を供給する基準発振器１３とを備えている。
【００１９】
本発明の第１実施例のテレビ放送再送信装置１には、入力端子ＩＮから複数チャンネルのテレビ放送波が入力され、分配器１０により分配される。この分配されたテレビ放送波は３つのチャンネル部１１−１，１１−２，１１−３にそれぞれ供給される。３つのチャンネル部１１−１，１１−２，１１−３の構成は同一とされており、ここではチャンネル部１１−１について説明する。チャンネル部１１−１はチャンネル１のテレビ放送波を再送信するチャンネル部であり、バンドパスフィルタ（ＢＰＦ）２０により分配器１０から供給される複数チャンネルのテレビ放送波の内からチャンネル１のテレビ放送波が抽出される。チャンネル１のテレビ放送波は利得調整可能な増幅器（ＡＭＰ）２１により所定のゲインになるよう増幅され第１のミキサ（ＭＩＸ）２２に供給される。
【００２０】
第１のＭＩＸ２２によりテレビ放送波は中間周波数信号に周波数変換され、中間周波数信号はＳＡＷフィルタ等の急峻なＢＰＦ２３で信号処理されて不要波成分が除去されると共に、構成は図示していないがその一部が自動利得制御回路によって処理され中間周波数信号のレベルが一定に保たれる。信号処理された中間周波数の信号は、第２のミキサ（ＭＩＸ）２４に供給されて元のチャンネルあるいは別のチャンネルに周波数変換される。第２のＭＩＸ２４から出力される所定のチャンネルとされたチャンネル１のテレビ放送波は、ＢＰＦ２５より不要波成分が除去されレベル制御部（ＧＣ）２６およびＡＭＰ２７において所定のレベルになるようゲイン調整および増幅されて分波器２８を介して混合器１２へ出力される。
【００２１】
ところで、基準発振器１３から分波器１４に供給された基準発振信号は、合波器として機能する分波器１４を経由して混合器１２の出力側へ供給される。この場合、混合器１２が分配器として機能することから基準発振信号は混合器１２の入力側から出力されて、３つのチャンネル部１１−１，１１−２，１１−３の出力側に供給される。チャンネル部１１−１においては分波器２８により供給された基準発振信号が分波されて局部発振器Ａおよび局部発振器Ｂに供給される。局部発振器Ａおよび局部発振器ＢはＰＬＬ（Phase Locked Loop ）で構成されており、局部発振器Ａでは、分波器２８から供給された基準発振信号と、電圧制御発振器（ＶＣＯ：Voltage-Controlled Oscillator）３４の出力である局部発振信号を分周器３１で分周した分周信号とを位相比較器（ＰＤ）３２により位相比較し、ＰＤ３２から出力された誤差信号をループフィルタ（ＬＦ）３３を介してＶＣＯ３４にフィードバックしている。これにより、ＶＣＯ３４から周波数や位相のズレのない局部発振信号を生成して出力することができる。なお、局部発振信号の周波数は、基準発振信号の周波数に分周器３１の分周比を乗算した周波数とされる。局部発振器Ｂの構成は局部発振器Ａの構成と同様とされて、上述した周波数の局部発振信号が生成される。このように、第１のＭＩＸ２２には局部発振器Ａから出力された局部発振信号が供給され、この局部発振信号によりテレビ放送波が中間周波数信号に変換され、第２のＭＩＸ２４には局部発振器Ｂから出力された局部発振信号が供給され、この局部発振信号により中間周波数信号が定められた所定のチャンネルのテレビ放送波に変換される。
【００２２】
チャンネル部１１−２は、チャンネル２のテレビ放送波を再送信するチャンネル部であり、チャンネル部１１−３は、チャンネル３のテレビ放送波を再送信するチャンネル部とされている。チャンネル部１１−２，１１−３から所定のレベルになるようゲイン調整されて出力されるテレビ放送波は、チャンネル２，チャンネル３においてそれぞれ定められた所定のチャンネルとされて混合器１２に出力される。チャンネル部１１−２，１１−３の構成はチャンネル部１１−１と同様とされているので、その説明は省略するが、混合器１２の入力側から出力された基準発振信号が、分波器２８−２，分波器２８−３でそれぞれ分波されてチャンネル部１１−２，１１−３における局部発振器Ａおよび局部発振器Ｂにそれぞれ供給されている。また、混合器１２で混合されるチャンネル部１１−１ないしチャンネル部１１−３から出力されるテレビ放送波は所定のレベルとされていると共に、チャンネルの周波数はそれぞれ異なっている。混合器１２において、混合された３波のテレビ放送波は分波器１４を介して出力レベル調整部１５に供給され、規定された出力レベルになるようレベル調整されて出力端子ＯＵＴから出力される。
【００２３】
上記説明したように、本発明の第１実施例のテレビ放送再送信装置１では、単一の基準発振器１３だけが設けられており、この基準発振器１３から出力される基準発振信号が、チャンネル部１１−１ないしチャンネル部１１−３における局部発振器Ａおよび局部発振器Ｂに共通して供給されている。すなわち、単一の基準発振器１３をチャンネル部１１−１ないしチャンネル部１１−３における合計６台の局部発振器に共通して使用することができることから、基準発振器の基準発振信号の相互干渉を防止することができると共にコストを低減することができるようになる。
ここで、分波器１４および分波器２８，２８−２，２８−３の構成の一例を図１０に示す。図１０に示す分波器５０は、入力端子ＩＮと第２出力端子ＯＵＴ２の間に接続されたハイパスフィルタ（ＨＰＦ）５１と、第２出力端子ＯＵＴ２と第１出力端子ＯＵＴ１との間に接続されたローパスフィルタ（ＬＰＦ）５２とを備えている。この分波器５０を分波器２８，２８−２，２８−３として使用すると、入力端子ＩＮにはチャンネル部１１−１ないしチャンネル部１１−３から出力されたそのチャンネルのテレビ放送波が入力される。このテレビ放送波は、ＨＰＦ５１を通過するがＬＰＦ５２では阻止されて第２出力端子ＯＵＴ２から出力され混合器１２に供給される。また、第２出力端子ＯＵＴ２から入力された基準発振信号は、ＬＰＦ５２を通過するがＨＰＦ５１では阻止されて第１出力端子ＯＵＴ１から出力され、局部発振器Ａおよび局部発振器Ｂに供給されるようになる。
さらに、分波器５０を分波器１４として使用すると、第２出力端子ＯＵＴ２には混合器１２から出力された３チャンネルが混合されたテレビ放送波が入力される。このテレビ放送波は、ＨＰＦ５１を通過するがＬＰＦ５２では阻止されて入力端子ＩＮから出力され出力レベル調整部１５に供給される。また、第１出力端子ＯＵＴ１から入力された基準発振信号は、ＬＰＦ５２を通過するがＨＰＦ５１では阻止されて第２出力端子ＯＵＴ２から出力され混合器１２に供給される。
【００２４】
また、分波器１４および分波器２８，２８−２，２８−３の構成の他の例を図１１に示す。図１１に示す分波器６０は、入力端子ＩＮと第２出力端子ＯＵＴ２の間に接続されたバンドパスフィルタ（ＢＰＦ）６１と、第２出力端子ＯＵＴ２と第１出力端子ＯＵＴ１との間に接続されたローパスフィルタ（ＬＰＦ）６２とを備えている。この分波器６０を分波器２８，２８−２，２８−３として使用すると、入力端子ＩＮにはチャンネル部１１−１ないしチャンネル部１１−３から出力されたそのチャンネルのテレビ放送波が供給される。このテレビ放送波は、ＢＰＦ６１を通過するがＬＰＦ６２では阻止されて第２出力端子ＯＵＴ２から出力され混合器１２に供給される。第２出力端子ＯＵＴ２から入力された基準発振信号は、ＬＰＦ６２を通過するがＢＰＦ６１では阻止されて第１出力端子ＯＵＴ１から出力され局部発振器Ａおよび局部発振器Ｂに供給される。
さらに、分波器６０を分波器１４として使用すると、第２出力端子ＯＵＴ２には混合器１２から出力された３チャンネルが混合されたテレビ放送波が入力される。このテレビ放送波は、ＢＰＦ６１を通過するがＬＰＦ６２では阻止されて入力端子ＩＮから出力され出力レベル調整部１５に供給される。また、第１出力端子ＯＵＴ１から入力された基準発振信号は、ＬＰＦ６２を通過するがＢＰＦ６１では阻止されて第２出力端子ＯＵＴ２から出力され混合器１２に供給される。
【００２５】
次に、本発明の第１実施例のテレビ放送再送信装置の変形例の構成を示す回路ブロック図を図２に示す。
図２に示す本発明にかかるテレビ放送再送信装置２は、第１実施例のテレビ放送再送信装置１と同様に、３チャンネルのテレビ放送を再送信するテレビ放送再送信装置とされており、入力端子ＩＮから入力された複数チャンネルのテレビ放送波を分配する分配器１０と、３つのチャンネル部１１−１，１１−２，１１−３と、各チャンネル部から出力されたテレビ放送波を混合する混合器１２と、規定された出力レベルになるようレベル調整する出力レベル調整部１５を備えている。これらの構成は、第１実施例のテレビ放送再送信装置１と同様とされている。そして、基準発振器１３から基準発振信号を供給する構成だけが第１実施例のテレビ放送再送信装置１と異なっている。
【００２６】
そこで、本発明の第１実施例の変形例のテレビ放送再送信装置２における基準発振信号を供給する構成について説明すると、基準発振器１３により発振された基準発振信号は分配器１６に供給されて３分配される。この分配器１６において３分配された基準発振信号は、チャンネル部１１−１における分波器２８の出力側と、チャンネル部１１−２における分波器２８−２の出力側と、チャンネル部１１−３における分波器２８−３の出力側に、それぞれ供給される。これにより、チャンネル部１１−１においては分波器２８により基準発振信号が分波されて局部発振器Ａおよび局部発振器Ｂに供給される。したがって、局部発振器Ａ（局部発振器Ｂ）では供給された基準発振信号の周波数に分周器３１（４１）の分周比を乗算した周波数の局部発振信号が生成されて第１のＭＩＸ２２（第２のＭＩＸ２４）に供給される。第１のＭＩＸ２２では、この局部発振信号によりテレビ放送波が中間周波数信号に変換され、第２のＭＩＸ２４では、この局部発振信号により中間周波数信号が定められた所定のチャンネルのテレビ放送波に変換される。
【００２７】
本発明の第１実施例の変形例のテレビ放送再送信装置２における他の構成は第１実施例のテレビ放送再送信装置１と同様とされているので、その説明は省略する。
上記説明したように、本発明の第１の実施例の変形例のテレビ放送再送信装置２では、単一の基準発振器１３だけが設けられており、この基準発振器１３から出力される基準発振信号が、チャンネル部１１−１ないしチャンネル部１１−３における局部発振器Ａおよび局部発振器Ｂに共通して供給されている。すなわち、単一の基準発振器１３をチャンネル部１１−１ないしチャンネル部１１−３における合計６台の局部発振器に共通して使用することができることから、基準発振器の基準発振信号の相互干渉を防止することができると共にコストを低減することができるようになる。
また、分波器２８，２８−２，２８−３として、図１０に示す分波器５０あるいは図１１に示す分波器６０を用いることができる。
【００２８】
次に、本発明の第１実施例のテレビ放送再送信装置の他の変形例の構成を示す回路ブロック図を図３に示す。
図３に示す本発明にかかるテレビ放送再送信装置３は、第１実施例のテレビ放送再送信装置１と同様に、３チャンネルのテレビ放送を再送信するテレビ放送再送信装置とされており、入力端子ＩＮから入力された複数チャンネルのテレビ放送波を分配する分配器１０と、３つのチャンネル部１１−１，１１−２，１１−３と、各チャンネル部から出力されたテレビ放送波を混合する混合器１２と、規定された出力レベルになるようレベル調整する出力レベル調整部１５を備えている。これらの構成は、第１実施例のテレビ放送再送信装置１と同様とされている。そして、基準発振器１３から基準発振信号を供給する構成だけが第１実施例のテレビ放送再送信装置１と異なっている。
【００２９】
そこで、本発明の第１実施例の他の変形例のテレビ放送再送信装置３における基準発振信号を供給する構成について説明すると、基準発振器１３により発振された基準発振信号は分配器１６に供給されて３分配される。この分配器１６において３分配された基準発振信号は、チャンネル部１１−１における局部発振器Ａおよび局部発振器Ｂと、チャンネル部１１−２における局部発振器Ａおよび局部発振器Ｂと、チャンネル部１１−３における局部発振器Ａおよび局部発振器Ｂに直接供給される。これにより、局部発振器Ａ（局部発振器Ｂ）では供給された基準発振信号の周波数に分周器３１（４１）の分周比を乗算した周波数の局部発振信号が生成されて第１のＭＩＸ２２（第２のＭＩＸ２４）に供給される。第１のＭＩＸ２２では、この局部発振信号によりテレビ放送波が中間周波数信号に変換され、第２のＭＩＸ２４では、この局部発振信号により中間周波数信号が定められた所定のチャンネルのテレビ放送波に変換される。
【００３０】
本発明の第１実施例の他の変形例のテレビ放送再送信装置３における他の構成は第１実施例のテレビ放送再送信装置１と同様とされているので、その説明は省略する。
上記説明したように、本発明の第１の実施例の他の変形例のテレビ放送再送信装置３では、単一の基準発振器１３だけが設けられており、この基準発振器１３から出力される基準発振信号が、チャンネル部１１−１ないしチャンネル部１１−３における局部発振器Ａおよび局部発振器Ｂに共通して供給されている。すなわち、単一の基準発振器１３をチャンネル部１１−１ないしチャンネル部１１−３における合計６台の局部発振器に共通して使用することができることから、基準発振器の基準発振信号の相互干渉を防止することができると共にコストを低減することができるようになる。また、基準発振信号を抽出するための分波器を不要とすることができる。
【００３１】
次に、本発明の第２実施例のテレビ放送再送信装置の構成を示す回路ブロック図を図４に示す。
図４に示す本発明にかかるテレビ放送再送信装置４は、３チャンネルのテレビ放送を再送信するテレビ放送再送信装置とされており、入力端子ＩＮから入力された複数チャンネルのテレビ放送波を分配する分配器１０ａと、３つのチャンネル部１１ａ−１，１１ａ−２，１１ａ−３と、各チャンネル部から出力されたテレビ放送波を混合する混合器１２ａと、規定された出力レベルになるようレベル調整する出力レベル調整部１５ａと、混合器１２ａと出力レベル調整部１５ａとの間に配置された分波器１４ａと、分波器１４ａに基準発振信号を供給する基準発振器１３ａとを備えている。
【００３２】
本発明の第２実施例のテレビ放送再送信装置４には、入力端子ＩＮから複数チャンネルのテレビ放送波が入力され、分配器１０ａにより分配される。この分配されたテレビ放送波は３つのチャンネル部１１ａ−１，１１ａ−２，１１ａ−３にそれぞれ供給される。３つのチャンネル部１１ａ−１，１１ａ−２，１１ａ−３の構成は同一とされており、ここではチャンネル部１１ａ−１について説明する。チャンネル部１１ａ−１はチャンネル１のテレビ放送波を再送信するチャンネル部であり、バンドパスフィルタ（ＢＰＦ）２０ａにより分配器１０ａから供給される複数チャンネルのテレビ放送波の内からチャンネル１のテレビ放送波が抽出される。チャンネル１のテレビ放送波は利得調整可能な増幅器（ＡＭＰ）２１ａにより所定のゲインになるよう増幅され第１のミキサ（ＭＩＸ）２２ａに供給される。
【００３３】
第１のＭＩＸ２２ａによりテレビ放送波は中間周波数信号に周波数変換され、中間周波数信号はＳＡＷフィルタ等の急峻なＢＰＦ２３ａで信号処理されて不要波成分が除去されると共に、構成は図示していないがその一部が自動利得制御回路によって処理され中間周波数信号のレベルが一定に保たれる。信号処理された中間周波数の信号は、第２のミキサ（ＭＩＸ）２４ａに供給されて元のチャンネルに周波数変換される。第２のＭＩＸ２４ａから出力される元のチャンネルとされたチャンネル１のテレビ放送波は、ＢＰＦ２５ａより不要波成分が除去されレベル制御部（ＧＣ）２６ａおよびＡＭＰ２７ａにおいて所定のレベルになるようゲイン調整および増幅されて分波器２８ａを介して混合器１２ａへ出力される。
【００３４】
ところで、基準発振器１３ａから分波器１４ａに供給された基準発振信号は、合波器として機能する分波器１４ａを経由して混合器１２ａの出力側へ供給される。この場合、混合器１２ａが分配器として機能することから基準発振信号は混合器１２ａの入力側から出力されて、３つのチャンネル部１１ａ−１，１１ａ−２，１１ａ−３の出力側に供給される。チャンネル部１１ａ−１においては分波器２８ａにより供給された基準発振信号が分波されて局部発振器Ａに供給される。局部発振器ＡはＰＬＬ（Phase Locked Loop ）で構成されており、局部発振器Ａでは、分波器２８ａから供給された基準発振信号と、電圧制御発振器（ＶＣＯ：Voltage-Controlled Oscillator）３４ａの出力である局部発振信号を分周器３１ａで分周した分周信号とを位相比較器（ＰＤ）３２ａにより位相比較し、ＰＤ３２ａから出力された誤差信号をループフィルタ（ＬＦ）３３ａを介してＶＣＯ３４ａにフィードバックしている。これにより、ＶＣＯ３４ａから周波数や位相のズレのない局部発振信号を生成して出力することができる。なお、局部発振信号の周波数は、基準発振信号の周波数に分周器３１ａの分周比を乗算した周波数とされる。局部発振器Ａにより生成された局部発振信号は第１のＭＩＸ２２ａおよび第２のＭＩＸ２４ａに供給され、第１のＭＩＸ２２ａでは、この局部発振信号によりテレビ放送波が中間周波数信号に変換され、第２のＭＩＸ２４ａでは、この局部発振信号により中間周波数信号が元のチャンネルのテレビ放送波に変換される。
【００３５】
チャンネル部１１ａ−２は、チャンネル２のテレビ放送波を再送信するチャンネル部であり、チャンネル部１１ａ−３は、チャンネル３のテレビ放送波を再送信するチャンネル部とされている。チャンネル部１１ａ−２，１１ａ−３から所定のレベルになるようゲイン調整されて出力されるテレビ放送波は、チャンネル２，チャンネル３において入力された元のチャンネルとされて混合器１２ａに出力される。チャンネル部１１ａ−２，１１ａ−３の構成はチャンネル部１１ａ−１と同様とされているので、その説明は省略するが、混合器１２ａの入力側から出力された基準発振信号が、分波器２８ａ−２，分波器２８ａ−３でそれぞれ分波されてチャンネル部１１ａ−２，１１ａ−３における局部発振器Ａに供給されている。また、混合器１２ａで混合されるチャンネル部１１ａ−１ないしチャンネル部１１ａ−３から出力されるテレビ放送波は所定のレベルとされていると共に、チャンネルは元のチャンネルとされている。混合器１２ａにおいて、混合された３波のテレビ放送波は分波器１４ａを介して出力レベル調整部１５ａに供給され、規定された出力レベルになるようレベル調整されて出力端子ＯＵＴから出力される。本発明の第２実施例のテレビ放送再送信装置４では、変換後のチャンネル（周波数）と変換前のチャンネル（周波数）とは同一チャンネルとされている。
【００３６】
上記説明したように、本発明の第２実施例のテレビ放送再送信装置４では、単一の基準発振器１３ａだけが設けられており、この基準発振器１３ａから出力される基準発振信号が、チャンネル部１１ａ−１ないしチャンネル部１１ａ−３における局部発振器Ａに共通して供給されている。すなわち、単一の基準発振器１３ａをチャンネル部１１ａ−１ないしチャンネル部１１ａ−３における合計３台の局部発振器Ａに共通して使用することができることから、基準発振器の基準発振信号の相互干渉を防止することができると共にコストを低減することができるようになる。
なお、分波器１４ａおよび分波器２８ａ，２８ａ−２，２８ａ−３として、図１０に示す分波器５０あるいは図１１に示す分波器６０を用いることができる。この場合の動作は、第１の実施例のテレビ放送再送信装置１で説明したとおりとなる。
【００３７】
次に、本発明の第２実施例のテレビ放送再送信装置の変形例の構成を示す回路ブロック図を図５に示す。
図５に示す本発明にかかるテレビ放送再送信装置５は、第２実施例のテレビ放送再送信装置４と同様に、３チャンネルのテレビ放送を再送信するテレビ放送再送信装置とされており、入力端子ＩＮから入力された複数チャンネルのテレビ放送波を分配する分配器１０ａと、３つのチャンネル部１１ａ−１，１１ａ−２，１１ａ−３と、各チャンネル部から出力されたテレビ放送波を混合する混合器１２ａと、規定された出力レベルになるようレベル調整する出力レベル調整部１５ａを備えている。これらの構成は、第２実施例のテレビ放送再送信装置４と同様とされている。そして、基準発振器１３ａから基準発振信号を供給する構成だけが第２実施例のテレビ放送再送信装置４と異なっている。
【００３８】
そこで、本発明の第２実施例の変形例のテレビ放送再送信装置５における基準発振信号を供給する構成について説明すると、基準発振器１３ａにより発振された基準発振信号は分配器１６ａに供給されて３分配される。この分配器１６ａにおいて３分配された基準発振信号は、チャンネル部１１ａ−１における分波器２８ａの出力側と、チャンネル部１１ａ−２における分波器２８ａ−２の出力側と、チャンネル部１１ａ−３における分波器２８ａ−３の出力側に、それぞれ供給される。これにより、チャンネル部１１ａ−１においては分波器２８ａにより基準発振信号が分波されて局部発振器Ａに供給される。従って、局部発振器Ａでは供給された基準発振信号の周波数に分周器３１ａの分周比を乗算した周波数の局部発振信号が生成される。この局部発振器Ａにより生成された局部発振信号は第１のＭＩＸ２２ａおよび第２のＭＩＸ２４ａに供給され、第１のＭＩＸ２２ａでは、この局部発振信号によりテレビ放送波が中間周波数信号に変換され、第２のＭＩＸ２４ａでは、この局部発振信号により中間周波数信号が元のチャンネルのテレビ放送波に変換される。本発明の第２実施例の変形例のテレビ放送再送信装置４では、チャンネル部における変換後のチャンネル（周波数）と変換前のチャンネル（周波数）とは同一チャンネルとされる。
【００３９】
本発明の第２実施例の変形例のテレビ放送再送信装置５における他の構成は第２実施例のテレビ放送再送信装置４と同様とされているので、その説明は省略する。
上記説明したように、本発明の第２の実施例の変形例のテレビ放送再送信装置５では、単一の基準発振器１３ａだけが設けられており、この基準発振器１３ａから出力される基準発振信号が、チャンネル部１１ａ−１ないしチャンネル部１１ａ−３における局部発振器Ａに共通して供給されている。すなわち、単一の基準発振器１３ａをチャンネル部１１ａ−１ないしチャンネル部１１ａ−３における合計３台の局部発振器Ａに共通して使用することができることから、基準発振器の基準発振信号の相互干渉を防止することができると共にコストを低減することができるようになる。
なお、分波器２８ａ，２８ａ−２，２８ａ−３として、図１０に示す分波器５０あるいは図１１に示す分波器６０を用いることができる。
【００４０】
次に、本発明の第２実施例のテレビ放送再送信装置の他の変形例の構成を示す回路ブロック図を図６に示す。
図６に示す本発明にかかるテレビ放送再送信装置６は、第２実施例のテレビ放送再送信装置４と同様に、３チャンネルのテレビ放送を再送信するテレビ放送再送信装置とされており、入力端子ＩＮから入力された複数チャンネルのテレビ放送波を分配する分配器１０ａと、３つのチャンネル部１１ａ−１，１１ａ−２，１１ａ−３と、各チャンネル部から出力されたテレビ放送波を混合する混合器１２ａと、規定された出力レベルになるようレベル調整する出力レベル調整部１５ａを備えている。これらの構成は、第２実施例のテレビ放送再送信装置４と同様とされている。そして、基準発振器１３ａから基準発振信号を供給する構成だけが第２実施例のテレビ放送再送信装置４と異なっている。
【００４１】
そこで、本発明の第２実施例の他の変形例のテレビ放送再送信装置６における基準発振信号を供給する構成について説明すると、基準発振器１３ａにより発振された基準発振信号は分配器１６ａに供給されて３分配される。この分配器１６ａにおいて３分配された基準発振信号は、チャンネル部１１ａ−１における局部発振器Ａと、チャンネル部１１ａ−２における局部発振器Ａと、チャンネル部１１ａ−３における局部発振器Ａに供給される。これにより、局部発振器Ａでは供給された基準発振信号の周波数に分周器３１ａの分周比を乗算した周波数の局部発振信号が生成されて第１のＭＩＸ２２ａおよび第２のＭＩＸ２４ａに供給される。第１のＭＩＸ２２ａでは、この局部発振信号によりテレビ放送波が中間周波数信号に変換され、第２のＭＩＸ２４ａでは、この局部発振信号により中間周波数信号が元のチャンネルのテレビ放送波に変換される。本発明の第２実施例の他の変形例のテレビ放送再送信装置４では、チャンネル部における変換後のチャンネル（周波数）と変換前のチャンネル（周波数）とは同一チャンネルとされる。
【００４２】
本発明の第２実施例の他の変形例のテレビ放送再送信装置６における他の構成は第２実施例のテレビ放送再送信装置４と同様とされているので、その説明は省略する。
上記説明したように、本発明の第２の実施例の他の変形例のテレビ放送再送信装置６では、単一の基準発振器１３ａだけが設けられており、この基準発振器１３ａから出力される基準発振信号が、チャンネル部１１ａ−１ないしチャンネル部１１ａ−３における局部発振器Ａに共通して供給されている。すなわち、単一の基準発振器１３ａをチャンネル部１１ａ−１ないしチャンネル部１１ａ−３における合計３台の局部発振器Ａに共通して使用することができることから、基準発振器の基準発振信号の相互干渉を防止することができると共にコストを低減することができるようになる。また、基準発振信号を抽出するための分波器を不要とすることができる。
【００４３】
次に、本発明の第３実施例のテレビ放送再送信装置の構成を示す回路ブロック図を図７に示す。
図７に示す本発明にかかるテレビ放送再送信装置７は、３チャンネルのテレビ放送を再送信するテレビ放送再送信装置とされており、入力端子ＩＮから入力された複数チャンネルのテレビ放送波を分配する分配器１０ｂと、３つのチャンネル部１１ｂ−１，１１ｂ−２，１１ｂ−３と、各チャンネル部から出力されたテレビ放送波を混合する混合器１２ｂと、規定された出力レベルになるようレベル調整する出力レベル調整部１５ｂと、混合器１２ｂと出力レベル調整部１５ｂとの間に配置された分波器１４ｂと、分波器１４ｂに基準発振信号を供給する基準発振器１３ｂとを備えている。
【００４４】
本発明の第３実施例のテレビ放送再送信装置７には、入力端子ＩＮから複数チャンネルのテレビ放送波が入力され、分配器１０ｂにより分配される。この分配されたテレビ放送波は３つのチャンネル部１１ｂ−１，１１ｂ−２，１１ｂ−３にそれぞれ供給される。３つのチャンネル部１１ｂ−１，１１ｂ−２，１１ｂ−３の構成は同一とされており、ここではチャンネル部１１ｂ−１について説明する。チャンネル部１１ｂ−１はチャンネル１のテレビ放送波を再送信するチャンネル部であり、バンドパスフィルタ（ＢＰＦ）２０ｂにより分配器１０ｂから供給される複数チャンネルのテレビ放送波の内からチャンネル１のテレビ放送波が抽出される。チャンネル１のテレビ放送波は利得調整可能な増幅器（ＡＭＰ）２１ｂにより所定のゲインになるよう増幅され第１のミキサ（ＭＩＸ）２２ｂに供給される。ＭＩＸ２２ｂによりテレビ放送波は定められた他のチャンネルのテレビ放送波に周波数変換され、変換後のテレビ放送波は、ＢＰＦ２３ｂにより不要波成分が除去されレベル制御部（ＧＣ）２４ｂおよびＡＭＰ２５ｂにおいて所定のレベルになるようゲイン調整および増幅されて分波器２６ｂを介して混合器１２ｂへ出力される。
【００４５】
ところで、基準発振器１３ｂから分波器１４ｂに供給された基準発振信号は、合波器として機能する分波器１４ｂを経由して混合器１２ｂの出力側へ供給される。この場合、混合器１２ｂが分配器として機能することから基準発振信号は混合器１２ｂの入力側から出力されて、３つのチャンネル部１１ｂ−１，１１ｂ−２，１１ｂ−３の出力側に供給される。チャンネル部１１ｂ−１においては分波器２６ｂにより供給された基準発振信号が分波されて局部発振器Ａに供給される。局部発振器ＡはＰＬＬ（Phase Locked Loop ）で構成されており、局部発振器Ａでは、分波器２６ｂから供給された基準発振信号と、電圧制御発振器（ＶＣＯ：Voltage-Controlled Oscillator）３４ｂの出力である局部発振信号を分周器３１ｂで分周した分周信号とを位相比較器（ＰＤ）３２ｂにより位相比較し、ＰＤ３２ｂから出力された誤差信号をループフィルタ（ＬＦ）３３ｂを介してＶＣＯ３４ｂにフィードバックしている。これにより、ＶＣＯ３４ｂから周波数や位相のズレのない局部発振信号を生成して出力することができる。なお、局部発振信号の周波数は、基準発振信号の周波数に分周器３１ｂの分周比を乗算した周波数とされる。局部発振器Ａにより生成された局部発振信号はＭＩＸ２２ｂに供給され、ＭＩＸ２２ｂでは、この局部発振信号によりテレビ放送波が定められた他のチャンネルのテレビ放送波に周波数変換される。
【００４６】
チャンネル部１１ｂ−２は、チャンネル２のテレビ放送波を再送信するチャンネル部であり、チャンネル部１１ｂ−３は、チャンネル３のテレビ放送波を再送信するチャンネル部とされている。チャンネル部１１ｂ−２，１１ｂ−３から所定のレベルになるようゲイン調整されて出力されるテレビ放送波は、チャンネル２，チャンネル３において定められたチャンネルとされて混合器１２ｂに出力される。チャンネル部１１ｂ−２，１１ｂ−３の構成はチャンネル部１１ｂ−１と同様とされているので、その説明は省略するが、混合器１２ｂの入力側から出力された基準発振信号が、分波器２８ｂ−２，分波器２８ｂ−３でそれぞれ分波されてチャンネル部１１ｂ−２，１１ｂ−３における局部発振器Ａに供給されている。また、混合器１２ｂで混合されるチャンネル部１１ｂ−１ないしチャンネル部１１ｂ−３から出力されるテレビ放送波は所定のレベルとされていると共に、チャンネルの周波数はそれぞれ異なっている。混合器１２ｂにおいて、混合された３波のテレビ放送波は分波器１４ｂを介して出力レベル調整部１５ｂに供給され、規定された出力レベルになるようレベル調整されて出力端子ＯＵＴから出力される。
【００４７】
上記説明したように、本発明の第３の実施例のテレビ放送再送信装置７では、単一の基準発振器１３ｂだけが設けられており、この基準発振器１３ｂから出力される基準発振信号が、チャンネル部１１ｂ−１ないしチャンネル部１１ｂ−３における局部発振器Ａに共通して供給されている。すなわち、単一の基準発振器１３ｂをチャンネル部１１ｂ−１ないしチャンネル部１１ｂ−３における合計３台の局部発振器Ａに共通して使用することができることから、基準発振器の基準発振信号の相互干渉を防止することができると共にコストを低減することができるようになる。
なお、分波器１４ｂおよび分波器２６ｂ，２６ｂ−２，２６ｂ−３として、図１０に示す分波器５０あるいは図１１に示す分波器６０を用いることができる。この場合の動作は、第１の実施例のテレビ放送再送信装置１で説明したとおりとなる。
【００４８】
次に、本発明の第３実施例のテレビ放送再送信装置の変形例の構成を示す回路ブロック図を図８に示す。
図８に示す本発明にかかるテレビ放送再送信装置８は、第３実施例のテレビ放送再送信装置７と同様に、３チャンネルのテレビ放送を再送信するテレビ放送再送信装置とされており、入力端子ＩＮから入力された複数チャンネルのテレビ放送波を分配する分配器１０ｂと、３つのチャンネル部１１ｂ−１，１１ｂ−２，１１ｂ−３と、各チャンネル部から出力されたテレビ放送波を混合する混合器１２ｂと、規定された出力レベルになるようレベル調整する出力レベル調整部１５ｂを備えている。これらの構成は、第３実施例のテレビ放送再送信装置７と同様とされている。そして、基準発振器１３ｂから基準発振信号を供給する構成だけが第３実施例のテレビ放送再送信装置７と異なっている。
【００４９】
そこで、本発明の第３実施例の変形例のテレビ放送再送信装置８における基準発振信号を供給する構成について説明すると、基準発振器１３ｂにより発振された基準発振信号は分配器１６ｂに供給されて３分配される。この分配器１６ｂにおいて３分配された基準発振信号は、チャンネル部１１ｂ−１における分波器２６ｂの出力側と、チャンネル部１１ｂ−２における分波器２６ｂ−２の出力側と、チャンネル部１１ｂ−３における分波器２６ｂ−３の出力側に、それぞれ供給される。これにより、チャンネル部１１ｂ−１においては分波器２６ｂにより基準発振信号が分波されて局部発振器Ａに供給される。これにより、局部発振器Ａでは供給された基準発振信号の周波数に分周器３１ｂの分周比を乗算した周波数の局部発振信号が生成される。この局部発振器Ａにより生成された局部発振信号はＭＩＸ２２ｂに供給され、ＭＩＸ２２ｂでは、この局部発振信号によりテレビ放送波は定められた他のチャンネルのテレビ放送波に周波数変換される。
【００５０】
本発明の第３実施例の変形例のテレビ放送再送信装置８における他の構成は第３実施例のテレビ放送再送信装置７と同様とされているので、その説明は省略する。
上記説明したように、本発明の第３の実施例の変形例のテレビ放送再送信装置８では、単一の基準発振器１３ｂだけが設けられており、この基準発振器１３ｂから出力される基準発振信号が、チャンネル部１１ｂ−１ないしチャンネル部１１ｂ−３における局部発振器Ａに共通して供給されている。すなわち、単一の基準発振器１３ｂをチャンネル部１１ｂ−１ないしチャンネル部１１ｂ−３における合計３台の局部発振器Ａに共通して使用することができることから、基準発振器の基準発振信号の相互干渉を防止することができると共にコストを低減することができるようになる。
なお、分波器２６ｂ，２６ｂ−２，２６ｂ−３として、図１０に示す分波器５０あるいは図１１に示す分波器６０を用いることができる。
【００５１】
次に、本発明の第３実施例のテレビ放送再送信装置の他の変形例の構成を示す回路ブロック図を図９に示す。
図９に示す本発明にかかるテレビ放送再送信装置９は、第３実施例のテレビ放送再送信装置７と同様に、３チャンネルのテレビ放送を再送信するテレビ放送再送信装置とされており、入力端子ＩＮから入力された複数チャンネルのテレビ放送波を分配する分配器１０ｂと、３つのチャンネル部１１ｂ−１，１１ｂ−２，１１ｂ−３と、各チャンネル部から出力されたテレビ放送波を混合する混合器１２ｂと、規定された出力レベルになるようレベル調整する出力レベル調整部１５ｂを備えている。これらの構成は、第３実施例のテレビ放送再送信装置７と同様とされている。そして、基準発振器１３ｂから基準発振信号を供給する構成だけが第３実施例のテレビ放送再送信装置７と異なっている。
【００５２】
そこで、本発明の第３実施例の他の変形例のテレビ放送再送信装置９における基準発振信号を供給する構成について説明すると、基準発振器１３ｂにより発振された基準発振信号は分配器１６ｂに供給されて３分配される。この分配器１６ｂにおいて３分配された基準発振信号は、チャンネル部１１ｂ−１における局部発振器Ａと、チャンネル部１１ｂ−２における局部発振器Ａと、チャンネル部１１ｂ−３における局部発振器Ａに供給される。これにより、局部発振器Ａでは供給された基準発振信号の周波数に分周器３１ｂの分周比を乗算した周波数の局部発振信号が生成されてＭＩＸ２２ｂに供給される。ＭＩＸ２２ｂでは、この局部発振信号によりテレビ放送波は定められた他のチャンネルのテレビ放送波に周波数変換される。
【００５３】
本発明の第３実施例の他の変形例のテレビ放送再送信装置９における他の構成は第３実施例のテレビ放送再送信装置７と同様とされているので、その説明は省略する。
上記説明したように、本発明の第３の実施例の他の変形例のテレビ放送再送信装置９では、単一の基準発振器１３ｂだけが設けられており、この基準発振器１３ｂから出力される基準発振信号が、チャンネル部１１ｂ−１ないしチャンネル部１１ｂ−３における局部発振器Ａに共通して供給されている。すなわち、単一の基準発振器１３ｂをチャンネル部１１ｂ−１ないしチャンネル部１１ｂ−３における合計３台の局部発振器Ａに共通して使用することができることから、基準発振器の基準発振信号の相互干渉を防止することができると共にコストを低減することができるようになる。また、基準発振信号を抽出するための分波器を不要とすることができる。
【産業上の利用可能性】
【００５４】
なお、以上の説明では３チャンネルのテレビ放送波を再送信するテレビ放送再送信装置としたが、チャンネル部を増設することにより再送信するチャンネルを４チャンネル以上とすることができる。この場合においても、単一の基準発振器だけを設けるだけでよい。また、テレビ放送波を変換した中間周波数信号において、ＢＰＦで不要波を除去すると共にレベルを一定に保つよう信号処理していたが、さらに加えてゴースト除去処理やジッタ除去処理を行うようにしても良い。
【図面の簡単な説明】
【００５５】
【図１】本発明の第１実施例のテレビ放送再送信装置の構成を示す回路ブロック図である。
【図２】本発明の第１実施例のテレビ放送再送信装置の変形例の構成を示す回路ブロック図である。
【図３】本発明の第１実施例のテレビ放送再送信装置の他の変形例の構成を示す回路ブロック図である。
【図４】本発明の第２実施例のテレビ放送再送信装置の構成を示す回路ブロック図である。
【図５】本発明の第２実施例のテレビ放送再送信装置の変形例の構成を示す回路ブロック図である。
【図６】本発明の第２実施例のテレビ放送再送信装置の他の変形例の構成を示す回路ブロック図である。
【図７】本発明の第３実施例のテレビ放送再送信装置の構成を示す回路ブロック図である。
【図８】本発明の第３実施例のテレビ放送再送信装置の変形例の構成を示す回路ブロック図である。
【図９】本発明の第３実施例のテレビ放送再送信装置の他の変形例の構成を示す回路ブロック図である。
【図１０】本発明にかかるテレビ再送信装置における分波器の構成の一例を示す図である。
【図１１】本発明にかかるテレビ再送信装置における分波器の構成の他の例を示す図である。
【図１２】従来のテレビ放送再送信装置の構成を示す回路ブロック図である。
【図１３】従来のテレビ放送再送信装置の他の構成を示す回路ブロック図である。
【図１４】従来のテレビ放送再送信装置のさらに他の構成を示す回路ブロック図である。
【符号の説明】
【００５６】
１〜９  テレビ放送再送信装置、１０，１０ａ，１０ｂ  分配器、１１，１１−２，１１−３  チャンネル部、１１ａ，１１ａ−２，１１ａ−３  チャンネル部、１１ｂ，１１ｂ−２，１１ｂ−３  チャンネル部、１２  混合器、１２ａ  混合器、１２ｂ  混合器、１３  基準発振器、１３ａ  基準発振器、１３ｂ  基準発振器、１４  分波器、１４ａ  分波器、１４ｂ  分波器、１５  出力レベル調整部、１５ａ  出力レベル調整部、１５ｂ  出力レベル調整部、１６  分配器、１６ａ  分配器、１６ｂ  分配器、２０  バンドパスフィルタ、２１  増幅器、２２  第１のミキサ、２３  バンドパスフィルタ、２４  第２のミキサ、２５  バンドパスフィルタ、２６  レベル制御部、２６ｂ  分波器、２６ｂ−２  分波器、２６ｂ−３  分波器、２７  増幅器、２８  分波器、２８−２  分波器、２８−３  分波器、２８ａ  分波器、２８ａ−２  分波器、２８ａ−３  分波器、２８ｂ  分波器、２８ｂ−２  分波器、２８ｂ−３  分波器、３１  分周器、３２  位相比較器、３３  ループフィルタ、３４  電圧制御発振器、５０  分波器、６０  分波器、１００  テレビ放送再送信装置、１０１  分配器、１０２  チャンネル部、１０３  混合器、１０４  出力レベル調整部、１１０  バンドパスフィルタ、１１１  増幅器、１１２  第１のミキサ、１１３  バンドパスフィルタ、１１４  第２のミキサ、１１５  バンドパスフィルタ、１１６  レベル制御部、１１７  増幅器、１２１  基準発振器、１２２  分周器、１２３  位相比較器、１２４  ループフィルタ、１２５  電圧制御発振器、２００  テレビ放送再送信装置、３００  テレビ放送再送信装置、ＩＮ  入力端子、ＯＵＴ  出力端子、ＯＵＴ１  出力端子、ＯＵＴ２  出力端子
【図１】
0004606958.tif 000002
【図２】
0004606958.tif 000003
【図３】
0004606958.tif 000004
【図４】
0004606958.tif 000005
【図５】
0004606958.tif 000006
【図６】
0004606958.tif 000007
【図７】
0004606958.tif 000008
【図８】
0004606958.tif 000009
【図９】
0004606958.tif 000010
【図１０】
0004606958.tif 000011
【図１１】
0004606958.tif 000012
【図１２】
0004606958.tif 000013
【図１３】
0004606958.tif 000014
【図１４】
0004606958.tif 000015